(57)【要約】【課題】ＩＰネットワークを利用して通話を行うＶｏＩＰ通信において、通話を中断することなく通話品質の劣化を解消する。【解決手段】広帯域回線を介して送受信する音声パケットデータは、ＶｏＩＰ通信部１０１で音声信号に変換され、ＶｏＩＰアダプタ装置１００の外部に接続された電話機との間で通話が可能となっている。通話品質検出部１０５で通話品質を監視し、ＩＰネットワークにおけるトラヒック増加等の原因により音声パケットデータの遅延や消失が生じて、通話品質が判定基準記憶部１０６に記憶された判定基準を下まわった場合に、ＰＳＴＮ通信部１０２は、アドレス情報記憶部１０４に記憶されたＩＰアドレスに対応するＰＳＴＮ回線における通話先の電話番号を検索して発呼し、通話回線切替部１０３は、通話を中断することなく自動的にＰＳＴＮ回線を介する通常の通話に切り替える。【選択図】  図１
2004165818.tif 000002
【特許請求の範囲】
【請求項１】
ＩＰネットワークを利用して通話を行うＶｏＩＰ通信を実現するＶｏＩＰアダプタ装置であって、
前記ＶｏＩＰ通信における音声パケットデータの生成及び復元を行うＶｏＩＰ通信手段と、
前記ＶｏＩＰ通信における通話品質を判定する通話品質判定手段と、
電話網を介した通話を行う電話網通信手段と、
前記ＶｏＩＰ通信による通話と前記電話網を介した通話との回線を切り替える通話回線切替手段とを備え、
前記通話品質判定手段において前記ＶｏＩＰ通信による通話の通話品質が所定の判定基準に満たない場合に、前記通話回線切替手段は前記ＶｏＩＰ通信による通話から前記電話網を介した通話に切り替えるように構成されたことを特徴とするＶｏＩＰアダプタ装置。
【請求項２】
前記ＶｏＩＰ通信におけるＩＰネットワーク上のＩＰアドレスと前記電話網における電話番号とを対応付けて記憶するアドレス情報記憶手段を備え、
前記電話網通信手段は前記アドレス情報記憶手段に記憶された前記ＶｏＩＰ通信による通話先のＩＰアドレスに対応する前記電話番号に発呼し、切り替えることを特徴とする請求項１に記載のＶｏＩＰアダプタ装置。
【請求項３】
送話手段と受話手段とを有し、音声信号を入出力通話先との通話を行う送受話部を備えたことを特徴とする請求項１に記載のＶｏＩＰアダプタ装置。
【請求項４】
ＡＤＳＬ信号の変復調を行うＡＤＳＬモデム手段を備え、前記ＶｏＩＰ通信手段は前記ＡＤＳＬモデム手段を介してＡＤＳＬ回線と接続され、前記ＶｏＩＰ通信を行う広帯域回線としてＡＤＳＬ回線を用いたことを特徴とする請求項１〜３のいずれかに記載のＶｏＩＰアダプタ装置。
【請求項５】
前記電話網における通話に用いるＤＴＭＦのトーン信号として、回線切替報知用の第１のトーン信号及び回線切替中止指示用の第２のトーン信号を再生するトーン信号再生手段と、前記トーン信号を検出するトーン信号検出手段とを備え、前記通話回線切替手段は、前記トーン信号検出手段により使用者の操作に基づく前記第２のトーン信号が検出された場合に、回線の切り替えを中止することを特徴とする請求項１〜４のいずれかに記載のＶｏＩＰアダプタ装置。
【発明の詳細な説明】
【０００１】
【発明の属する技術分野】
本発明は、ＩＰネットワークを利用して通話を行うＶｏＩＰ通信を実現するためのＶｏＩＰアダプタ装置に関する。
【０００２】
【従来の技術】
ＡＤＳＬ（Ａｓｙｍｍｅｔｒｉｃ  Ｄｉｇｉｔａｌ  Ｓｕｂｓｃｒｉｂｅｒ  Ｌｉｎｅ）や光ファイバ、ＣＡＴＶ等を利用した広帯域通信の普及により、音声データを所定の長さに区切ってパケット化し、インターネット等のＩＰネットワークを経由して通話を行うＶｏＩＰ（Ｖｏｉｃｅ  ｏｖｅｒ  Ｉｎｔｅｒｎｅｔ  Ｐｒｏｔｏｃｏｌ）による通話サービスが注目され、インターネット電話として普及しつつある。このＶｏＩＰは、通信料金が距離に依存しないインターネット等を利用するため、長距離であっても電話料金を気にすることなく通話ができ、長距離通話になるほど電話料金を抑えることができるという利点がある（例えば、特許文献１、２参照）。
【０００３】
このＶｏＩＰによる通話サービスを実現するために、ＩＰネットワークと電話機との間に設置して、電話機の送受話音声信号とＩＰネットワーク上のパケットデータとを相互に変換するＶｏＩＰアダプタ装置が知られている（例えば、特許文献３参照）。
【０００４】
ＶｏＩＰアダプタ装置は、一方を電話機に接続し、他方をＩＰネットワークに接続して使用される。電話機から送話される音声信号は、ＶｏＩＰ装置でパケットデータに加工され、ＩＰネットワーク上に送信されて通話先の電話機に伝えられる。一方、ＩＰネットワークからは通話先の電話機からの音声がパケットデータとして送信されてきており、ＶｏＩＰ装置でこれを受信して分解処理し、音声信号に復元して電話機で受話する。これにより、通話先利用者との間で相互に通話が可能となる。
【０００５】
【特許文献１】
特開２００１−１９７１２７号公報
【特許文献２】
特開２００１−１２７９０２号公報
【特許文献３】
特開平１１−２７５２５６号公報
【０００６】
【発明が解決しようとする課題】
しかしながら、ＶｏＩＰ通信による通話時に、ＩＰネットワークを流れるトラヒックが増加したり、通過経路の一部に障害や輻輳が発生すると、パケットデータの遅延や消失が起こり、音声品質が劣化して相手の音声が聞き取りにくくなったり、通話が途切れるなどの支障が生じて利用者が不快を感じるという問題がある。
【０００７】
このように、通話の途中でＩＰネットワークにおけるトラヒック増加が原因で一時的に通話が困難になった場合は、トラヒックが減少するまで待てばよいが、会話応答がスムーズにいかなくなるという問題がある。
【０００８】
また、他の通信手段、例えば従来のＰＳＴＮ（Ｐｕｂｌｉｃ  Ｓｗｉｔｃｈｅｄ  Ｔｅｌｅｐｈｏｎ  Ｎｅｔｗｏｒｋ：公衆交換電話回線網）を介する通話や、携帯電話を用いて通話を継続する方法が考えられる。しかしこれらの場合は、一旦ＶｏＩＰ通信による通話を終了した上で、ＰＳＴＮや携帯電話などの他の通信手段による発呼を行って通話を再開する必要があり、会話が一時中断すると共に、手間がかかるという問題がある。
【０００９】
一方、ＩＰネットワークにおいてＱｏＳ（Ｑｕａｌｉｔｙ  ｏｆ  Ｓｅｒｖｉｃｅ）を適用して音声パケットデータを優先させ、ＶｏＩＰ通信の音声品質を改善することも考えられる。しかし、この場合は通話に利用するＩＰネットワークで使用されているルータ（中継機）がＱｏＳに対応したものでなければならない。もし、既存のルータがＱｏＳに対応していなければ、設備更新のために膨大なコストや時間がかかるという問題がある。また、トラヒック増加がネットワークの回線容量に対して大きい場合は、たとえＱｏＳを適用してもパケットの遅延や消失を完全に防ぐことはできない。
【００１０】
本発明は、上記課題を解決するためになされたもので、ＩＰネットワークを利用して通話を行うＶｏＩＰ通信において、通話の一時的な不具合を解消することが可能なＶｏＩＰアダプタ装置を提供することを目的とする。
【００１１】
【課題を解決するための手段】
本発明に係るＶｏＩＰアダプタ装置は、ＩＰネットワークを利用して通話を行うＶｏＩＰ通信を実現するＶｏＩＰアダプタ装置であって、前記ＶｏＩＰ通信における音声パケットデータの生成及び復元を行うＶｏＩＰ通信手段と、前記ＶｏＩＰ通信における通話品質を判定する通話品質判定手段と、電話網を介した通話を行う電話網通信手段と、前記ＶｏＩＰ通信による通話と前記電話網を介した通話との回線を切り替える通話回線切替手段とを備え、前記通話品質判定手段において前記ＶｏＩＰ通信による通話の通話品質が所定の判定基準に満たない場合に、前記通話回線切替手段は前記ＶｏＩＰ通信による通話から前記電話網を介した通話に切り替えるように構成されるものである。
【００１２】
また、前記ＶｏＩＰ通信におけるＩＰネットワーク上のＩＰアドレスと前記電話網における電話番号とを対応付けて記憶するアドレス情報記憶手段を備え、前記電話網通信手段は前記アドレス情報記憶手段に記憶された前記ＶｏＩＰ通信による通話先のＩＰアドレスに対応する前記電話番号に発呼し、切り替えるものである。
【００１３】
上記構成によれば、広帯域回線を介してＩＰネットワークを利用して行うＶｏＩＰ通信による通話において、所定の判定基準より通話品質が劣化したと判定された場合に、自動的に電話網を介した通常の通話に切り替えることができ、通話品質を維持しながら、かつ通話を中断することなく継続できる。これにより、ＶｏＩＰ通信における通話の一時的な不具合を解消することが可能となる。
【００１４】
また、本発明は、上記ＶｏＩＰアダプタ装置において、送話手段と受話手段とを有し、音声信号を入出力通話先との通話を行う送受話部を備えた構成を有している。
【００１５】
上記構成によれば、ＶｏＩＰアダプタ装置をＶｏＩＰ通信における電話端末として使用することができ、利便性が向上する。
【００１６】
また、本発明は、上記いずれかのＶｏＩＰアダプタ装置において、ＡＤＳＬ信号の変復調を行うＡＤＳＬモデム手段を備え、前記ＶｏＩＰ通信手段は前記ＡＤＳＬモデム手段を介してＡＤＳＬ回線と接続され、前記ＶｏＩＰ通信を行う広帯域回線としてＡＤＳＬ回線を用いた構成を有している。
【００１７】
上記構成によれば、広帯域回線としてＡＤＳＬ回線を用いたＶｏＩＰ通信による通話において、所定の判定基準より通話品質が劣化したと判定された場合に、自動的に電話網を介した通常の通話に切り替えることができ、通話品質を維持しながら、通話を中断することなく継続できる。
【００１８】
また、本発明は、上記いずれかのＶｏＩＰアダプタ装置において、前記電話網における通話に用いるＤＴＭＦのトーン信号として、回線切替報知用の第１のトーン信号及び回線切替中止指示用の第２のトーン信号を再生するトーン信号再生手段と、前記トーン信号を検出するトーン信号検出手段とを備え、前記通話回線切替手段は、前記トーン信号検出手段により使用者の操作に基づく前記第２のトーン信号が検出された場合に、回線の切り替えを中止するように構成されるものである。
【００１９】
上記構成によれば、ＶｏＩＰ通信による通話において、通話中に通話品質が劣化して通話回線を切り替える場合に、使用者は通話音声において回線切替報知用の第１のトーン信号を聞くことで回線の切り替えが行われることを認識できる。このとき、使用者の操作によって、回線切替中止指示用の第２のトーン信号を出力することで、ＶｏＩＰ通信による通話から電話網を介した通話への切り替えを中止することができる。よって、利用者が利用料金と通話品質のいずれを優先するかなどによって、電話網による通話に切り替えるか否かを利用者の意思で選択することができる。
【００２０】
【発明の実施の形態】
以下、図面を参照して本発明の実施形態を説明する。
（第１実施形態）
図１は、本発明の第１実施形態に係るＶｏＩＰアダプタ装置の構成を示すブロック図である。ＶｏＩＰアダプタ装置１００の一方は、コネクタ等のインタフェース１０７を介して広帯域回線と、モジュラジャック１０８を介して電話網としてのＰＳＴＮ回線にそれぞれ接続され、他方はモジュラジャック１０９を介して図示しない電話機に接続されている。
【００２１】
ＶｏＩＰアダプタ装置１００は、ＶｏＩＰ通信における音声パケットデータの生成（音声信号のＩＰパケット化）及び分解（ＩＰパケットの音声信号への復元）を行うＶｏＩＰ通信部（ＶｏＩＰ通信手段に相当する）１０１、ＰＳＴＮ回線を介して通常のアナログ音声信号を送受信するＰＳＴＮ通信部（ＰＳＴＮ通信手段に相当する）１０２、通話を行う回線の切り替えを行う通話回線切替部（通話回線切替手段に相当する）１０３、ＶｏＩＰ通信におけるＩＰネットワーク上のＩＰアドレスとＰＳＴＮ回線における電話番号とを対応付けて記憶したアドレス情報記憶部（アドレス情報記憶手段に相当する）１０４、ＶｏＩＰ通信における通話品質の劣化を所定の判定基準と比較する通話品質検出部（通話品質判定手段に相当する）１０５、通話品質の判定基準を記憶する判定基準記憶部１０６を有して構成される。
【００２２】
次に、本実施形態のＶｏＩＰアダプタ装置１００の動作について説明する。広帯域回線を介してＩＰネットワークに接続され、ＶｏＩＰ通信により通話先利用者と通話状態が確立している状態において、ＶｏＩＰアダプタ装置１００に接続された電話機からは、利用者の話すアナログ音声信号が通話回線切替部１０３を介してＶｏＩＰ通信部１０１に伝送される。アナログ音声信号はＶｏＩＰ通信部１０１においてディジタル音声信号に変換された後に符号化され、ヘッダその他の情報を付加したパケットデータとして加工されて広帯域回線上に送信される。
【００２３】
一方、広帯域回線からは通話先利用者の話す音声データがパケットデータとして送信されてきており、ＶｏＩＰアダプタ装置１００は、インタフェース１０７を介してこれを受信する。受信されたパケットデータは、ＶｏＩＰ通信部１０１で分解処理が行われ、音声符号部分を抜き出して復号化が行われる。復号化されたディジタル音声信号はアナログ音声信号に変換され、通話回線切替部１０３を介して電話機に伝送される。これにより電話機では、通話先利用者の話す音声を聴くことができ、相互に通話が可能となる。
【００２４】
上記した通話状態において、通話品質検出部１０５は、アナログ音声信号を常時監視して通話品質レベルを判定基準記憶部１０５に記憶された所定の通話品質の判定基準と比較する。判定基準としては、通話に支障のない程度のＳ／Ｎの値などを用いることができる。この場合、例えば音声帯域とそれ以外の帯域などによって信号成分とノイズ成分とを判別すればよい。そして、ＩＰネットワークを流れるトラヒックが増加する等の原因でパケットデータの遅延や消失が起こり、通話品質が判定基準を下まわった場合は、通話回線切替部１０３に対して通話を行う回線を広帯域回線からＰＳＴＮ回線に切り替える旨の指示を送る。
【００２５】
通話回線切替部１０３は、この指示を受けてアドレス情報記憶部１０４で通話中のＶｏＩＰ通信におけるＩＰアドレスからＰＳＴＮ回線において通話先利用者が使用している電話機の電話番号を検索し、ＰＳＴＮ通信部１０２に伝える。
【００２６】
ＰＳＴＮ通信部１０２は、指示された電話番号で発呼を行い、通話先利用者の電話機との接続を行う。通話回線切替部１０３は、接続が完了すると通話回線を広帯域回線からＰＳＴＮ回線に切り替える。これにより、通話は中断することなくＰＳＴＮ回線を介する通常の通話に切り替わる。また、ＩＰネットワークにおいてトラヒックが減少する等して通信品質が改善すると、ＶｏＩＰ通信において劣化した通話品質は回復する。なお、ＰＳＴＮ回線経由の通話に切り換えた期間、広帯域回線を介したＶｏＩＰ通信も継続して行い、通話品質が回復したときに再度ＶｏＩＰ通信による通話に切り換えることも可能である。
【００２７】
以上のように、本実施形態の構成及び動作によれば、広帯域回線を介したＶｏＩＰ通信で通話中に通話品質が劣化した場合に、自動的にＰＳＴＮ回線を介する通常の通話に切り替わるので、通話品質を良好に維持したまま通話を継続することができる。
【００２８】
なお、第１実施形態の上記の例では、電話機をモジュラジャック１０９を介してＶｏＩＰ装置１００の外部に接続する構成としたが、例えば図２に示す変形例のように、ＶｏＩＰ装置２００の内部に送話手段と受話手段とを有してなる送受話部２１０を設けた構成とすることもできる。これにより、ＶｏＩＰ装置２００をＶｏＩＰ通信における電話端末として使用することができ、利便性が向上する。
【００２９】
（第２実施形態）
図３は、本発明の第２実施形態に係るＶｏＩＰアダプタ装置の構成を示すブロック図である。ＶｏＩＰアダプタ装置３００の一方は、モジュラジャック１０８を介してＰＳＴＮ回線（及びＡＤＳＬ回線）に接続され、他方はモジュラジャック１０９を介して図示しない電話機に接続されている。図３において、図１と同一の構成要素には同一符号を付して説明を省略する。
【００３０】
ＶｏＩＰアダプタ装置３００は、音声信号とＡＤＳＬ信号を分離するスプリッタ３１１、パケットデータをＡＤＳＬ信号に変調すると共に、ＡＤＳＬ信号からパケットデータを復調するＡＤＳＬモデム（ＡＤＳＬモデム手段に相当する）３１２、ＶｏＩＰ通信部１０１、ＰＳＴＮ通信部１０２、通話回線切替部１０３、アドレス情報記憶部１０４、通話品質検出部１０５、判定基準記憶部１０６を有して構成される。
【００３１】
次に、ＶｏＩＰアダプタ装置３００の動作について説明する。ＰＳＴＮ回線の通信回線において音声信号にＡＤＳＬ信号が重畳され、ＡＤＳＬ回線を介してＩＰネットワークに接続されている。このＡＤＳＬ回線を介したＩＰネットワーク上でＶｏＩＰ通信により通話先利用者と通話状態が確立している状態において、ＶｏＩＰアダプタ装置３００に接続された電話機からは、利用者の話すアナログ音声信号が通話回線切替部１０３を介してＶｏＩＰ通信部１０１に伝送される。アナログ音声信号はＶｏＩＰ通信部１０１でディジタル音声信号に変換されて符号化され、更にパケットデータとして加工される。パケットデータはＡＤＳＬモデム３１２で変調されてＡＤＳＬ信号に変換され、スプリッタ３１１を介して音声信号に重畳されてＡＤＳＬ回線上に送信される。
【００３２】
一方で、ＡＤＳＬ回線からは通話先利用者の話す音声データがＡＤＳＬ信号として到来し、スプリッタ３１１で受信、分離されてＡＤＳＬモデム３１２に伝送される。ＡＤＳＬ信号は、ＡＤＳＬモデム３１２においてパケットデータに復調された後、ＶｏＩＰアダプタ装置１００で分解処理が行われ、音声符号部分を抜き出して復号化が行われる。復号化されたディジタル音声信号はアナログ音声信号に変換され、通話回線切替部１０３を介して電話機に伝送される。これにより利用者の電話機で、通話先利用者の話す音声を聴くことができ、通話が成立する。
【００３３】
また、通話品質検出部１０５は、アナログ音声信号を常時監視し、通話品質レベルを判定基準記憶部１０５に記憶された所定の通話品質の判定基準と比較する。そして、通話中にＩＰネットワークを流れるトラヒックが増加したり、データ通過経路の一部に障害や輻輳が発生する等の原因でパケットデータの遅延や消失が起こり、通話品質が判定基準を下まわった場合は、通話回線切替部１０３に指示を送り、ＰＳＴＮ回線を介する通常の通話に切り替える。
【００３４】
このとき、アドレス情報記憶部１０４は、通話中のＶｏＩＰ通信におけるＩＰアドレスを基にＰＳＴＮ回線において通話先利用者が使用している電話機の電話番号を検索し、ＰＳＴＮ通信部１０３に伝える。
【００３５】
ＰＳＴＮ通信部１０３は、検索した電話番号で発呼を行い、通話先利用者の電話機との接続を行う。接続が完了すると、通話回線切替部１０３は、ＡＤＳＬ回線を介したＡＤＳＬ信号によるＶｏＩＰ通信の通話を通常のＰＳＴＮ回線を介したアナログ音声信号による通話に切り替える。これにより、通話を中断することなくＰＳＴＮ回線を介する通常の通話に切り替わる。また、ＩＰネットワークにおいてトラヒックが減少する等して通信品質が改善すると、ＶｏＩＰ通信において劣化した通話品質は回復する。なお、ＰＳＴＮ回線経由の通話に切り換えた期間、ＡＤＳＬ回線によるＶｏＩＰ通信も継続して行い、通話品質が回復したときに再度ＶｏＩＰ通信による通話に切り換えることも可能である。
【００３６】
以上のように、第２実施形態の構成及び動作によれば、ＡＤＳＬ回線を介したＶｏＩＰ通信において、通話中に通話品質が劣化した場合に、自動的にＰＳＴＮ回線による通常の通話に切り替わるので、通話品質を良好に維持したまま通話を継続することができる。
【００３７】
（第３実施形態）
図４は、本発明の第３実施形態に係るＶｏＩＰアダプタ装置の構成を示すブロック図である。ＶｏＩＰアダプタ装置４００は、第１実施形態と同様に、一方をコネクタ等のインタフェース１０７を介してＩＰネットワークを構成する広帯域回線と、モジュラジャック１０８を介してＰＳＴＮ回線にそれぞれ接続され、他方をモジュラジャック１０９を介して図示しない電話機に接続される。図４において、図１と同一の構成要素には同一符号を付して説明を省略する。
【００３８】
ＶｏＩＰアダプタ装置４００は、ＶｏＩＰ通信部１０１、ＰＳＴＮ通信部１０２、通話回線切替部１０３、アドレス情報記憶部１０４、通話品質検出部１０５、判定基準記憶部１０６、更に、ＰＳＴＮ回線を介した通話において発呼などに用いるＤＴＭＦ（Ｄｉａｌ  Ｔｏｎｅ  Ｍｕｌｔｉ  Ｆｒｅｑｕｅｎｃｙ）のトーン信号を生成するトーン再生部（トーン信号再生手段に相当する）４１３と、アナログ音声信号の中からＤＴＭＦのトーン信号を検出するＤＴＭＦ検出部（トーン信号検出手段に相当する）４１４とを有して構成される。
【００３９】
次に、ＶｏＩＰアダプタ装置４００の動作について説明する。広帯域回線を介するＶｏＩＰ通信により通話先利用者と通話状態が確立している状態において、通話品質が基準レベルを下まわった場合は、第１実施形態と同様に、通話回線切替部１０３は、広帯域回線を介するＶｏＩＰ通信からＰＳＴＮ回線による通常の通話に切り替えるために、ＰＳＴＮ回線に接続された通話先利用者の電話機の電話番号を検索し、発呼ダイヤル操作を行う。
【００４０】
このとき、トーン再生部４１２は、回線切り替えを表す所定のトーン信号（回線切替報知信号となる第１のトーン信号）を生成してこれを通話中のアナログ音声信号に重畳し、広帯域回線を介するＶｏＩＰ通信からＰＳＴＮ回線による通常の通話に切り替えようとしていることを利用者に報知する。
【００４１】
このとき、通話音声信号中の回線切替報知信号（第１のトーン信号）を聴いた利用者が、例えば通話品質より通話料金を優先し、ＶｏＩＰ通信の継続を望む場合は、電話機で所定のボタン操作を行う。これにより、回線切り替え中止を指示するための所定のトーン信号（回線切替中止指示信号となる第２のトーン信号）がトーン再生部４１２で生成されて出力され、ＤＴＭＦ検出部４１４は、この回線切替中止指示信号（第２のトーン信号）を検出し、通話回線切替部１０３に伝達する。通話回線切替部１０３はＤＴＭＦ検出部４１４での回線切替中止指示信号検出に基づいて、ＶｏＩＰ通信からＰＳＴＮ通信への切り替えを中止する。
【００４２】
以上のように、第３実施形態の構成及び動作によれば、広帯域回線を介するＶｏＩＰ通信において、通話中に通話品質が劣化した場合に、ＶｏＩＰ通信による通話を継続するかＰＳＴＮ回線を介する通常の通話へ切り替えるかを利用者の意思で選択することができるので、利用者にとって適切な通話を継続することが可能となる。
【００４３】
上述した本発明の各実施形態によれば、ＩＰネットワークを利用して通話を行うＶｏＩＰ通信において、通話品質が劣化した場合に自動的にＰＳＴＮ回線による通常の通話に切り換えることによって、良好な通話品質を維持しつつ通話を中断することなく継続でき、通話の一時的な不具合を解消することができる。
【００４４】
【発明の効果】
以上説明したように本発明によれば、ＩＰネットワークを利用して通話を行うＶｏＩＰ通信において、通話の一時的な不具合を解消することが可能なＶｏＩＰアダプタ装置を提供できる。
【図面の簡単な説明】
【図１】本発明の第１実施形態に係るＶｏＩＰ装置の構成を示すブロック図
【図２】本発明の第１実施形態の変形例に係るＶｏＩＰ装置の構成を示すブロック図
【図３】本発明の第２実施形態に係るＶｏＩＰ装置の構成を示すブロック図
【図４】本発明の第３実施形態に係るＶｏＩＰ装置の構成を示すブロック図
【符号の説明】
１００、２００、３００、４００  ＶｏＩＰアダプタ装置
１０１  ＶｏＩＰ通信部
１０２  ＰＳＴＮ通信部
１０３  通話回線切替部
１０４  アドレス情報記憶部
１０５  通話品質検出部
１０６  判定基準記憶部
１０７  広帯域回線インタフェース
１０８  ＰＳＴＮインタフェース
１０９  電話機インタフェース
２１０  送受話部
３１１  スプリッタ
３１２  ＡＤＳＬモデム
４１３  トーン再生部
４１４  ＤＴＭＦ検出部
【図１】
2004165818.tif 000003
【図２】
2004165818.tif 000004
【図３】
2004165818.tif 000005
【図４】
2004165818.tif 000006